(57)【要約】【課題】従来よりも簡単な操作により、円滑に文字入力をすることができる撮像装置を提供する。【解決手段】撮像装置は、文字情報を編集するための画面を表示する表示部であって、画面は、少なくとも１つの文字の候補が表示される候補表示領域、および、候補の中から選択された文字が表示される被選択候補表示領域を含む、表示部と、候補表示領域に表示された第１カーソルを、画面上で移動させるための第１操作インタフェースと、被選択候補表示領域に表示された第２カーソルを、画面上で移動させるための第２操作インタフェースとを備えている。【選択図】図６
2009071810.tif 000002
【特許請求の範囲】
【請求項１】
文字情報を編集するための画面を表示可能な表示部であって、前記画面は、少なくとも１つの文字の候補が表示される候補表示領域、および、前記候補の中から選択された文字が表示される被選択候補表示領域を含む、表示部と、
前記候補表示領域に表示された第１カーソルを、前記画面上で移動させるための第１操作インタフェースと、
前記被選択候補表示領域に表示された第２カーソルを、前記画面上で移動させるための第２操作インタフェースと
を備えた、撮像装置。
【請求項２】
前記撮像装置は、前記画面が表示されていないときにおいて被写体像の大きさを変化させるズーム操作インタフェースを有しており、
前記第２操作インタフェースとして前記ズーム操作インタフェースが採用されている、請求項１に記載の撮像装置。
【請求項３】
前記第２操作インタフェースの操作に応じて、前記第２カーソルの移動を制御するコントローラーをさらに備えており、
前記コントローラーは、前記ズーム操作インタフェースによる被写体像の拡大および縮小に対応する各操作に応じて、前記第２カーソルの移動方向を制御する、請求項２に記載の撮像装置。
【請求項４】
前記第１操作インタフェースの操作に応じて前記第１カーソルの移動を制御し、かつ、前記画面の表示を制御するコントローラーと、
第３操作インタフェースと
をさらに備えており、
前記コントローラーは前記表示部に対して、
前記候補表示領域に複数種類の文字の候補を表示させ、
前記第３操作インタフェースの操作に応じて、前記第１カーソルの位置に表示されている前記文字の種類を選択し、
選択された前記文字の種類に応じて、前記画面中の前記候補表示領域の表示を変更させる、請求項１に記載の撮像装置。
【請求項５】
前記候補表示領域は、少なくとも第１表示領域および第２表示領域を含んでおり、
前記第３操作インタフェースを介して選択された前記文字の種類が、複数のグループに分類された複数の文字からなる文字体系を有する場合には、前記コントローラーは前記表示部に対して、
各グループを代表する代表文字をそれぞれ前記第１表示領域に表示させ、
前記第１表示領域において選択された代表文字と同じグループに属する少なくとも１つの文字を、前記第２表示領域に表示させる、請求項４に記載の撮像装置。
【請求項６】
前記第１操作インタフェースの操作に応じて、前記コントローラーは、前記第１カーソルの位置に表示された、前記第１表示領域および前記第２表示領域の少なくとも一方に表示された文字を選択する、請求項５に記載の撮像装置。
【請求項７】
前記第１操作インタフェースを介して選択された前記文字の種類が、複数のグループに分類されない複数の文字からなる文字体系を有する場合には、前記コントローラーは前記表示部に対して、前記複数の文字を前記候補表示領域に表示させる、請求項４に記載の撮像装置。
【請求項８】
前記第１操作インタフェースおよび前記第２操作インタフェースは、異なるハードウェアインタフェースである、請求項１に記載の撮像装置。
【請求項９】
前記第１操作インタフェースおよび前記第３操作インタフェースは、異なるハードウェアインタフェースである、請求項４に記載の撮像装置。
【請求項１０】
前記第１操作インタフェースおよび前記第３操作インタフェースは、同一のハードウェアインタフェースである、請求項４に記載の撮像装置。
【発明の詳細な説明】
【技術分野】
【０００１】
本発明は、デジタルカメラなどの撮像装置に関する。
【背景技術】
【０００２】
近年、デジタルスチルカメラやデジタルビデオカメラの普及が進み、使用者はそのような電子機器をより頻繁に利用するようになってきた。メモリーカードの大容量化と相まって、撮影される静止画枚数や動画の本数が増加する傾向にある。
【０００３】
このような状況に鑑みれば、たとえば画像を撮影した直後に使用者がその画像に何らかのタイトルやメモを付すことができれば、後に画像を確認する際に利便性が高まる。そこで、デジタルスチルカメラなどの電子機器において、より簡単に文字を入力可能とするインタフェースが求められている。さらに、入力操作性の向上について要望が強くなってきている。
【０００４】
特許文献１は、十字キー等の簡単な入力キーで文字入力を可能とする装置（たとえばデジタルカメラ）を開示している。この装置は、入力すべき文字の候補を画面に表示し、入力文字の選択を受け付けるものである。これによれば、簡単なキーで文字を入力可能となる。
【０００５】
特許文献２は、選択候補の文字を選択するための選択カーソルと選択後の文字列内に表示される入力カーソルとを文字入力用画面に表示させる携帯電話を開示する。特許文献２ではディスク型ジョグダイヤルおよびプッシュボタンを利用して文字が選択され、さらに、選択された文字に関連付けられた候補単語が表示され、そのうちから１つの候補が選択される。
【特許文献１】特開２００６−１０９１３５号公報
【特許文献２】特開２００５−９２５２１号公報
【発明の開示】
【発明が解決しようとする課題】
【０００６】
電子機器を利用する使用者の年齢層が拡大しているため、より一層簡単な文字入力、および、入力された文字の編集を実現できるインタフェースが望まれている。
【０００７】
本発明の目的は、従来の文字入力インタフェースよりも簡単な操作により文字を入力するインタフェースを提供することにある。
【課題を解決するための手段】
【０００８】
本発明による撮像装置は、文字情報を編集するための画面を表示可能な表示部であって、前記画面は、少なくとも１つの文字の候補が表示される候補表示領域、および、前記候補の中から選択された文字が表示される被選択候補表示領域を含む、表示部と、前記候補表示領域に表示された第１カーソルを、前記画面上で移動させるための第１操作インタフェースと、前記被選択候補表示領域に表示された第２カーソルを、前記画面上で移動させるための第２操作インタフェースとを備えている。
【０００９】
前記撮像装置は、前記画面が表示されていないときにおいて被写体像の大きさを変化させるズーム操作インタフェースを有しており、前記第２操作インタフェースとして前記ズーム操作インタフェースが採用されていてもよい。
【００１０】
前記撮像装置は、前記第２操作インタフェースの操作に応じて、前記第２カーソルの移動を制御するコントローラーをさらに備えており、前記コントローラーは、前記ズーム操作インタフェースによる被写体像の拡大および縮小に対応する各操作に応じて、前記第２カーソルの移動方向を制御してもよい。
【００１１】
前記撮像装置は、前記第１操作インタフェースの操作に応じて前記第１カーソルの移動を制御し、かつ、前記画面の表示を制御するコントローラーと、第３操作インタフェースとをさらに備えており、前記コントローラーは前記表示部に対して、前記候補表示領域に複数種類の文字の候補を表示させ、前記第３操作インタフェースの操作に応じて、前記第１カーソルの位置に表示されている前記文字の種類を選択し、選択された前記文字の種類に応じて、前記画面中の前記候補表示領域の表示を変更させてもよい。
【００１２】
前記候補表示領域は、少なくとも第１表示領域および第２表示領域を含んでおり、前記第３操作インタフェースを介して選択された前記文字の種類が、複数のグループに分類された複数の文字からなる文字体系を有する場合には、前記コントローラーは前記表示部に対して、各グループを代表する代表文字をそれぞれ前記第１表示領域に表示させ、前記第１表示領域において選択された代表文字と同じグループに属する少なくとも１つの文字を、前記第２表示領域に表示させてもよい。
【００１３】
前記第１操作インタフェースの操作に応じて、前記コントローラーは、前記第１カーソルの位置に表示された、前記第１表示領域および前記第２表示領域の少なくとも一方に表示された文字を選択してもよい。
【００１４】
前記第１操作インタフェースを介して選択された前記文字の種類が、複数のグループに分類されない複数の文字からなる文字体系を有する場合には、前記コントローラーは前記表示部に対して、前記複数の文字を前記候補表示領域に表示させてもよい。
【００１５】
前記第１操作インタフェースおよび前記第２操作インタフェースは、異なるハードウェアインタフェースであってもよい。
【００１６】
前記第１操作インタフェースおよび前記第３操作インタフェースは、異なるハードウェアインタフェースであってもよい。
【００１７】
前記第１操作インタフェースおよび前記第３操作インタフェースは、同一のハードウェアインタフェースである。
【発明の効果】
【００１８】
本発明によれば、少なくとも１つの文字の候補が表示される候補表示領域、および、候補の中から選択された文字が表示される被選択候補表示領域の各々に関し、候補表示領域に表示された第１カーソルは第１操作インタフェースで移動させ、被選択候補表示領域に表示された第２カーソルは第２操作インタフェースで移動させる。選択後の文字に対する操作と、選択前の文字に対する操作とを独立した操作インタフェースで行うので、操作上の相違が明確になり、文字の入力や入力した文字の変更などの操作を円滑に行うことができる。
【発明を実施するための最良の形態】
【００１９】
以下、添付の図面を参照して、本発明による撮像装置の実施形態を説明する。まず図１〜３を参照しながら撮像装置の内部および外部の構成を説明し、図４および５を参照しながら撮像装置の動作を説明する。その後、図６〜９を参照しながら、撮像装置の特徴の一つである、文字入力時の操作方法および操作画面を説明する。
【００２０】
図１は、本実施形態にかかるデジタルカメラ１００の構成を示すブロック図である。デジタルカメラ１００は、ズームレンズ１１０、ズームモータ１１１、ＣＣＤイメージセンサー１２０、ＡＤコンバーター１３０、画像処理部１４０、バッファ１５０、コントローラー１６０、液晶モニタ１７０、操作インタフェース１９０を備えている。図１にはメモリーカード１８０が示されているが、これは説明の便宜のためである。一般には、メモリーカード１８０はデジタルカメラ１００から取り外し可能であり、デジタルカメラ１００の構成要素ではない。
【００２１】
ズームレンズ１１０は、被写体像の大きさを変化させるためのレンズである。ズームモータ１１１は、ズームレンズ１１０を光軸方向に移動するためのモータである。撮影時等の後述する文字情報編集画面が表示されていないときにおいて、ズームレバー１９１が使用者によって操作され、当該操作に応じた指示信号が生成されると、ズームモータ１１１は、制御信号に基づいてズームレンズ１１０を駆動する。なお、本実施形態では、光学的にズーム倍率を変更する例を説明するが、電子的にズーム倍率を変更してもよい。後者の例では、ズームレバー１９１が使用者によって操作されたことによって生成された制御信号に応じて、画像処理部１４０は、ＣＣＤイメージセンサー１２０で生成された画像データにズーム処理を施す。
【００２２】
ＣＣＤイメージセンサー１２０は、光学系で形成された被写体像を受け、受けた光の量に応じた電気信号を生成する。この電気信号が被写体像に対応する画像信号である。本実施形態では、ＣＣＤイメージセンサー１２０を例示しているが、その代わりに、ＣＭＯＳイメージセンサーやＮＭＯＳイメージセンサーを用いてもよい。
【００２３】
ＡＤコンバーター１３０は、ＣＣＤイメージセンサー１２０で生成された電気信号（アナログ形式）をデジタル化する。これにより、画像データ（デジタル形式）が得られる。
【００２４】
画像処理部１４０は、ＡＤコンバーター１３０から入力される画像データに対して、各種の画像処理を施す。各種の画像処理としては、例えば、キズ補正、ガンマ補正、ホワイトバランス補正、ＹＣ変換処理、電子ズーム処理、圧縮処理、解凍処理などが挙げられる。画像処理部１４０は、これらの処理を全て行える構成としてもよいし、一部のみを実行できるようにしてもよい。また、他の処理を必要に応じて行えるようにしてもよい。
【００２５】
コントローラー１６０は、操作インタフェース１９０に対してなされた操作に応答して、デジタルカメラ１００全体をコントロールする。その際、バッファメモリ１５０は、コントローラー１６０のワークメモリとして機能する。また、バッファメモリ１５０は、画像処理部１４０のワークメモリとしても機能する。
【００２６】
液晶モニタ１７０は、画像処理部１４０で生成された表示用画像データを受けて、これに対応する画像を表示する。また、液晶モニタ１７０は、撮影された画像等に重畳させて、ＯＳＤ（Ｏｎ  Ｓｃｒｅｅｎ  Ｄｉｓｐｌａｙ）表示が可能である。
【００２７】
メモリーカード１８０は、画像処理部１４０で生成され、コントローラー１４０から送られた画像データを格納可能である。また、メモリーカード１８０は、内部に保持した画像データを出力可能である。コントローラー１６０は、メモリーカード１８０から画像データを受けると、画像処理部１４０を用いて表示用画像データを生成し、これに対応する画像を液晶モニタ１７０に表示させることができる。
【００２８】
操作インタフェース１９０は、使用者が操作するために設けられたハードウェアインタフェースである。操作インタフェース１９０は、具体的には各種のボタン、レバーである。説明の便宜上、操作インタフェース１９０を操作手段の総称として記述することもあるし、個々の操作手段を意味するものとして記述することもある。
【００２９】
図２および３は、デジタルカメラ１００の背面および上面に設けられた操作インタフェース１９０の一例を示す。図２および３には、個々の操作インタフェース１９０として、ズームレバー１９１、シャッタボタン１９２、モードダイアル１９３、決定ボタン１９４と、右キー１９５、下キー１９６、左キー１９７、上キー１９８、削除ボタン１９９およびディスプレイボタン２００が示されている。
【００３０】
以下、個々の操作インタフェース１９０を説明する。ズームレバー１９１は、シャッタボタン１９２を中心に回転操作可能に配置されている。使用者によるズームレバー１９１の回転操作（回転方向、回転量、回転時の保持時間）に応じて制御信号が生成され、コントローラー１６０はズーム倍率を変更する。これにより、撮影される被写体像の大きさ、または、液晶モニタ１７０上の被写体像の大きさが変化する。
【００３１】
シャッタボタン１９２は、使用者が押下する操作に応じて、コントローラー１６０に対して、制御信号を出力する。たとえばシャッタボタン１９２の半押し時の制御信号により、オートフォーカス動作が開始され、自動露出制御動作が開始される。またシャッタボタン１９２の全押し時の制御信号により、撮像動作が開始される。
【００３２】
モードダイアル１９３は、デジタルカメラ１００の動作モードに関して、使用者による回転操作を受け付ける。モードダイアル１９３が回転操作されると、コントローラー１６０は、モードダイアル１９３からの指示に従って、デジタルカメラ１００の動作モードを変更する。
【００３３】
決定ボタン１９４は、各種の設定を確定するために用いられる。右キー１９５は、たとえば設定画面上に表示されるカーソルを右に動かしたり、表示される画像を順送りするために用いられる。下キー１９６は、たとえば設定画面上に表示されるカーソルを下に動かすために用いられる。左キー１９７は、たとえば設定画面上に表示されるカーソルを左に動かしたり、表示される画像を逆送りするために用いられる。上キー１９８は、設定画面上に表示されるカーソルを上に動かすために用いられる。
【００３４】
削除ボタン１９９は、メモリーカード１８０に記憶されている画像データを削除するために用いられる。ディスプレイボタン２００は、液晶モニタ１７０上に表示される設定画面のパターンを変更するために用いられる。
【００３５】
以下、上述のデジタルカメラ１００の動作を説明する。デジタルカメラ１００の動作は、電源オン時、撮影時、画像再生時、画像データの消去時などで異なっている。以下では、本願発明に関連する画像の再生モードが選択されたときの処理を説明する。本実施形態では、再生モードにおいて「タイトル編集処理」を行っているが、これは一例である。記録モードにおいて「タイトル編集処理」を行ってもよいし、その他のモードにおいて「タイトル編集処理」を行ってもよい。
【００３６】
図４は、画像再生モード選択時の処理の手順を示すフローチャートである。
【００３７】
使用者がモードダイアル１９３を操作して、デジタルカメラ１００の動作モードを再生モードに設定する（Ｓ１１）。この状態で、コントローラー１６０は、決定ボタン１９４が押下されるかどうかを監視する（Ｓ１２）。決定ボタン１９４が押下されると、コントローラー１６０は設定画面を液晶モニタ１７０に表示する。
【００３８】
図５は、設定画面Ｄ１の一例を示す。設定画面Ｄ１は、再生モードでの各種の設定を行うために表示される。コントローラー１６０は、当初タイトル編集用項目Ｔ１をハイライトし、右キー１９５または下キー１９６が押下されるかどうかを監視する（Ｓ１３）。
【００３９】
右キー１９５が押下されると、デジタルカメラ１００はタイトル編集処理を実行する。「タイトル編集処理」とは、表示された画像に対して、使用者がその画像に付加する文字情報を入力するための編集処理である。コントローラー１６０は、メモリーカード１８０に格納されている画像データを読み出して、画像処理部１４０に表示用画像データを生成させる。そしてコントローラー１６０は、生成された表示用画像データを液晶モニタ１７０に表示する。表示用画像とは、たとえば複数の画像の各々のサムネイル画像である。
【００４０】
一方、下キー１９６が押下されたときは、コントローラー１６０は次に配置された項目をハイライトする。なお、項目ごとにデジタルカメラ１００の処理は異なるが、図５の最上位の項目（「タイトル編集」）以外は本願発明と特に関連しないため、説明は省略する。図４のステップＳ１３の「Ｎｏ」の場合の処理は項目「タイトル編集」が選択されたか否かのみを判定している点に留意されたい。
【００４１】
表示された画像を見て、使用者は、タイトル編集の対象となる画像（以下、「編集対象画像」と記述する。）を選択する（Ｓ１４）。
【００４２】
編集対象画像が選択されると、コントローラー１６０は、図６に示す入力画面を表示するよう液晶モニタ１７０を制御する（Ｓ１５）。
【００４３】
ここで、図６から８を参照しながら、入力画面における文字入力の方法を説明する。入力画面における画面表示や文字選択、カーソル移動等についてはコントローラー１６０により制御される。
【００４４】
図６は、文字入力時の編集画面を示す。画面内の入力用表示欄Ｃ１は、画像に付加するための文字として選択された文字（被選択文字候補）が表示される領域である。入力用表示欄Ｃ１内のカーソルＣ５の位置に選択された文字が表示される。または、カーソルＣ５の位置に存在する文字が、削除や変更の対象とされる。
【００４５】
一方、選択用第１表示欄Ｃ２は、いくつかの代表文字が表示される領域であり、選択用第２表示欄Ｃ３は、各代表文字によって代表されるグループに属する文字群（選択候補）が表示される領域である。図６では、代表文字がカーソルＣ６で示されており、この状態で下キー１９６が押下されると、カーソルＣ６は選択用第２表示欄Ｃ３に移動する。
【００４６】
本実施形態の特徴の一つは、入力用表示欄Ｃ１内のカーソルを移動させるための操作インタフェースと、選択用第１表示欄Ｃ２および選択用第２表示欄Ｃ３内を移動させるための操作インタフェースとが共通化されているのではなく、異なっている点にある。
【００４７】
従来は、キー１９５〜１９８を利用してカーソルを上下左右に移動させることにより、入力用表示欄Ｃ１、選択用第１表示欄Ｃ２および選択用第２表示欄Ｃ３のすべての表示欄にまたがってカーソルを移動させ、編集対象または選択対象の文字を特定する必要があった。
【００４８】
本実施形態では、入力用表示欄Ｃ１内のカーソルを移動させる際はズームレバー１９１を利用し、選択用第１表示欄Ｃ２および選択用第２表示欄Ｃ３内のカーソルを移動させる際に、キー１９５〜１９８を利用する。カーソルを移動させるためのキーを、入力用表示欄Ｃ１と、選択用第１表示欄Ｃ２および選択用第２表示欄Ｃ３とで独立させることにより、キー１９５〜１９８を何回も押下してカーソルを移動させる必要はなくなるため、円滑なカーソル移動を実現することができる。特に、多くのデジタルカメラで備えられることが多いズームレバー１９１を利用するため、新たなキーの数および配置を検討する必要はなく、既存のキーを有効活用できる。
【００４９】
以下、図６に示す各表示欄および使用者の操作方法を改めて説明する。
【００５０】
入力用表示欄Ｃ１は、入力するための文字として選択された文字が表示される欄である。使用者は、入力用表示欄Ｃ１内に入力文字列を全て表示させた後、キー１９５〜１９８を操作してカーソルを「終了」Ｔ９に移動させ、決定ボタン１９４を押下することにより、その文字列を、編集対象画像の画像ファイルのヘッダ部に格納することができる。入力用表示欄Ｃ１内には第１カーソルＣ５が表示される。第１カーソルＣ５は、ズームレバー１９１の回転操作に応じて、入力用表示欄Ｃ１内を１文字ずつ移動する。ズームレバー１９１を一方方向に所定時間以上保持することにより、第１カーソルＣ５を一方方向に移動し続けるようにしてもよい。コントローラー１６０は、ズームレバー１９１の回転操作に応じた制御信号に基づいて、第１カーソルＣ５の移動を制御する。
【００５１】
ここで、平仮名や片仮名のような、「あ」行、「か」行のようなグループ分けが可能な文字体系の文字を入力する例を説明する。以下では、画面内の項目Ｔ２が選択されているとする。
【００５２】
選択用第１表示欄Ｃ２は、入力文字を選択するための選択候補文字のうち代表文字を表示するための欄である。具体的には、図６においては、平仮名のうち「あ行」の文字が表示されている。Ｃ２内には第２カーソルＣ６が表示される。使用者が右キー１９５及び左キー１９７を操作することによって、各操作に応じた制御信号が生成され、コントローラー１６０は、その制御信号に基づいて、第２カーソルＣ６を移動させる。
【００５３】
また、第２カーソルＣ６が選択用第１表示欄Ｃ２内に表示されている場合に、下キー１９６が押下されると、第２カーソルＣ６は、選択用第２表示欄Ｃ３内に移動する。選択用第２表示欄Ｃ３は、候補文字を選択するための文字のうち選択用第１表示欄Ｃ２で選択した代表文字によって代表されるグループに属する文字群を表示するための欄である。図６の場合、「な」が代表する「な列」に属する文字「な」「に」「ぬ」「ね」「の」が表示されている。
【００５４】
ただし、選択用第１表示欄Ｃ２に表示されている代表文字は、必ずしも、選択用第２表示欄Ｃ３から選択する必要はない。選択用第２表示欄Ｃ３に表示する文字群のインデックスとして表示されていなくてもよく、選択用第１表示欄Ｃ２から代表文字自体を選択することも可能である。また、選択用第２表示欄Ｃ３から選択可能にしつつ、選択用第１表示欄Ｃ２からも選択可能としてもよい。選択された文字の決定には、決定ボタン１９４を用いる。
【００５５】
項目Ｔ２〜Ｔ６は、選択用第１表示欄Ｃ２や選択用第２表示欄Ｃ３に表示する文字の種類を選択するための表示項目である。現在選択されている文字種の項目（図６では項目Ｔ２）は、たとえば網掛けで表示される。文字種は、ディスプレイボタン２００を押下することにより変更可能である。例えば、ディスプレイボタン２００を１回押下するごとに、平仮名、片仮名、英大文字、英小文字、その他の記号に、文字種が変遷していく。なお、ディスプレイボタン２００に代えて、ズームレバー１９１、キー１９５〜１９８を用いて文字種を選択させてもよい。
【００５６】
ディスプレイボタン２００が押下されて英大文字入力用項目Ｔ４が選択されたとすると、入力画面は、図７に示す画面に切り替わる。すなわち、平仮名や片仮名のようなグループ分類や代表文字が存在しない、アルファベットのような文字体系の文字を入力する場合には、選択用第１表示欄Ｃ２及び選択用第２表示欄Ｃ３は表示されず、選択用第３表示欄Ｃ４のみが表示される。つまり、代表文字を表示するための欄は表示されず、同一の欄に全ての文字が表示される。英小文字入力用項目Ｔ５が選択されたときも、アルファベットが小文字で表示される以外は、図７に示す画面と同様の画面が表示される。
【００５７】
以上説明したとおり、本実施形態においては、コントローラー１６０は、第１種類の文字を選択候補文字として候補表示領域に表示するよう指示された場合、第１種類の文字を複数のグループに分け、各グループを代表する文字を表示する第１表示領域と第１表示領域に表示されている文字のうち選択されている文字が代表するグループに属する文字を表示する第２表示領域とに分けて、候補表示領域を液晶モニタ１７０に表示させる。
【００５８】
一方、第２種類の文字を選択候補文字として候補表示領域に表示するよう指示された場合、コントローラー１６０は、第２種類に属する文字を全て１つの候補表示領域内に表示させるよう液晶モニタ１７０を制御する。
【００５９】
図８は、選択用第２表示欄Ｃ３に表示された文字を選択するときの画面例である。図８に示す状態では、選択用第１表示欄Ｃ２には、使用者が選択したい文字が表示されていないとする。使用者は、希望する文字を選択するために選択用第２表示欄Ｃ３に表示される文字を選択する必要がある。具体的には、「ょ」を選択するためには、選択用第１表示欄Ｃ２では選択できず、選択用第２表示欄Ｃ３で選択可能である。
【００６０】
再び図４を参照する。使用者が入力画面を見ながら入力文字を全て選択し、キー１９５〜１９８を操作してカーソルを「終了」Ｔ９に移動させ、決定ボタン１９４を押下すると、コントローラー１６０は、画像に付加される文字が決定されたと判断する（Ｓ１６）。決定された文字列は、コントローラー１６０の制御により、画像ファイルのヘッダ部に格納される（Ｓ１７）。
【００６１】
コントローラー１６０は格納された文字列及び画像データを読み出して、液晶モニタ１７０に文字列及び画像を表示させる。すなわち、コントローラー１６０は、画像データが示す画像を背景に表示し、その上に、画像ファイルのヘッダ部から読み出した文字列をＯＳＤ表示する（Ｓ１８）。図９は、画像Ｄ２に重畳して表示された文字列Ｄ３を示している。これにより、画像に関連する情報を簡易な操作により読み出すことが可能になる。なお、画像ファイルのヘッダ部に格納された文字列を表示させるかどうかは使用者の選択により決定されるようにするのが好ましい。
【００６２】
以上のように、本実施形態にかかるデジタルカメラ１００は、入力用表示欄Ｃ１内のカーソルを移動させるための操作インタフェースとしてズームレバー１９１を利用し、選択用第１〜第３表示欄Ｃ２〜Ｃ４内を移動させるための操作インタフェースとしてキー１９５〜１９８を利用する。
【００６３】
これにより、カーソル移動操作と撮影された画像の倍率を変更する操作とを、デジタルカメラ１００に固有のズームレバー１９１によって受け付けることができるため、カメラ自身に多くのキーを設けなくても、円滑にカーソル移動を可能にすることができる。なお、撮影された画像の倍率を変更するためのズームレバー１９１を利用すると、画像の拡大・縮小操作（２方向の操作）と、カーソルの左右方向への操作（２方向の操作）とが一致する。これにより使用者は直感的な操作が可能になる。また、ズームレバー１９１をシャッタボタン１９２の近くに配置し、キー１９５〜１９８がデジタルカメラ１００の背面に配置されていると、第１カーソルＣ５を人差し指の操作によって移動させ、第２カーソルＣ６を親指の操作によって移動させることができる。このため、両方のカーソルを２つの指を使うことによって迅速に移動することができる。
【００６４】
ただし、本実施形態では、ズームレバー１９１の操作によって第１カーソルＣ５を移動させ、ズームレバー１９１とは異なるハードウェアキー１９５〜１９８の操作によって第２カーソルＣ６を移動させることが重要であり、どの指を用いるかは任意である。第１カーソルＣ５の移動と第２カーソルＣ６の移動とを同じハードウェアで行うのは、既存の技術の範疇である。
【００６５】
上述のデジタルカメラ１００は、記憶媒体を着脱可能である画像管理装置としても機能する。これは、記憶媒体がメモリーカード１８０の他に、デジタルカメラ１００内に内蔵されている場合も同様である。この場合、画像管理装置は、文字入力用画面を表示する液晶モニタ１７０と、メモリーカード１８０内に格納された画像ファイルについて選択指示を受け付ける操作インタフェース１９０と、文字入力用画面を介して入力された文字情報を、操作インタフェース１９０を利用して選択された画像ファイルのヘッダ部に格納するようメモリーカード１８０を制御するコントローラー１６０と、を備えていることになる。
【００６６】
コントローラー１６０は、既に文字情報をヘッダ部に格納している画像ファイルを、文字情報を入力すべき画像ファイルとして選択する旨の指示を、操作インタフェース１９０を介して受け付けた場合、選択された画像ファイルのヘッダ部に格納されている文字情報を読み出して、文字入力用画面に表示するよう制御するようにしてもよい。具体的には、画像ファイルのヘッダ部に「なつのりょこう」という文字が格納されているとすると、コントローラー１６０は、図６に示す入力画面を表示させる際には、入力用表示欄Ｃ１の欄に「なつのりょこう」を予め表示させ、それを編集可能な状態にする。
【００６７】
これにより、既に文字列がヘッダ部に格納されている画像ファイルを読み出した場合、改めて全てを入力する必要がなくなるので、入力作業の手間を省くことができる。また、使用者は、既にどのような文字列が格納されているかを確認できるので、入力ミスを防ぐことができる。
【００６８】
また、本実施形態においては、代表文字を表示する選択用第１表示欄Ｃ２を文字入力用画面に表示する。ある代表文字が選択された場合には、その代表文字によって代表されるグループに属する文字を表示する。これにより、候補文字の種類が多い文字種を選んだ場合、代表文字を表示することにより、文字の選択を容易にできる。一方、候補文字の種類が少ない文字種を選んだ場合、全てを表示することにより、選択操作の煩雑さを軽減でき、文字の選択操作を容易にすることができる。
【００６９】
また、本実施例が示す通り、選択用第１表示欄Ｃ２で示す代表文字も選択用第２表示欄Ｃ３で示す代表文字もともに選択可能にするのが好ましい。どちらでも選択できるので、選択操作をより容易にすることができる。
【００７０】
ただし、デジタルカメラ１００が利用される国、地域によっては、選択用第１表示欄Ｃ２および選択用第２表示欄Ｃ３を設ける必要はないし、全ての項目Ｔ２〜Ｔ６を設ける必要もない。または、さらに他の表示欄や項目を設けてもよい。たとえば、デジタルカメラ１００がアメリカ合衆国で使用されることを想定されている場合には、項目Ｔ２およびＴ３を設ける必要はなく、図６、図８の項目Ｃ２、Ｃ３も表示する必要はない。
【００７１】
なお、本実施形態では、シャッタボタン１９２を中心として回転可能なズームレバー１９１を挙げたが、これは一例である。画像の拡大および縮小を可能にする構成であればレバーである必要はなく、たとえばボタンであってもよい。
【００７２】
上述のとおり、本発明では、第１カーソルＣ５の移動と第２カーソルＣ６の移動とが、異なる操作インタフェース１９０を用いて行われればよい。
【００７３】
したがって、本実施形態では第１カーソルＣ５の移動のためにズームレバー１９１を用いたが、本発明はこれには限定されない。ズーム機能に関するキーではない他の機能に関するキーを用いて、第１カーソルＣ５を移動させてもよい。
【００７４】
また、本実施形態では、第２カーソルＣ６の移動のために十字キーを用いたが、本発明はこれには限定されない。例えば、ジョイスティックを用いてもよいし、トラックボールを用いてもよい。また、音声認識技術を用いてもよい。要するに、カーソルを移動するために利用可能なあらゆる操作インタフェース１９０を利用できる。
【００７５】
また、第１カーソルＣ５の移動のために十字キーを用い、第２カーソルＣ６の移動のためにズームレバー１９１を用いてもよい。
【産業上の利用可能性】
【００７６】
本発明は、文字入力の操作が可能であって、画像を管理する電子機器に適用可能である。具体的には、デジタルスチルカメラ、ムービーなどに適用できる。
【図面の簡単な説明】
【００７７】
【図１】本発明の実施形態にかかるデジタルカメラ１００の構成を示すブロック図である。
【図２】デジタルカメラ１００の背面に設けられた操作インタフェース１９０の一例を示す。
【図３】デジタルカメラ１００の上面に設けられた操作インタフェース１９０の一例を示す。
【図４】画像再生モード選択時の処理の手順を示すフローチャートである。
【図５】設定画面Ｄ１の一例を示す。
【図６】入力画面の一例を示す。
【図７】切り替えられた後の入力画面の一例を示す。
【図８】選択用第２表示欄Ｃ３に表示された文字を選択するときの画面例である。
【図９】画像Ｄ２に重畳して表示された文字列Ｄ３を示している。
【符号の説明】
【００７８】
１００  デジタルカメラ
１１０  ズームレンズ
１２０  ＣＣＤイメージセンサー
１３０  ＡＤコンバーター
１４０  画像処理部
１５０  バッファメモリ
１６０  コントローラー
１７０  液晶モニタ
１８０  メモリーカード
１９０  操作インタフェース
１９１  ズームレバー
１９２  シャッタボタン
１９３  モードダイアル
１９４  決定釦
１９５  右キー
１９６  下キー
１９７  左キー
１９８  上キー
１９９  削除ボタン
２００  ディスプレイボタン
【図１】
2009071810.tif 000003
【図２】
2009071810.tif 000004
【図３】
2009071810.tif 000005
【図４】
2009071810.tif 000006
【図５】
2009071810.tif 000007
【図６】
2009071810.tif 000008
【図７】
2009071810.tif 000009
【図８】
2009071810.tif 000010
【図９】
2009071810.tif 000011